(57)【要約】  短時間で、被洗浄物の露出面の付着物を除去可能な、新たな洗浄装置を提供する。  本発明の被洗浄物の露出面の付着物除去用の洗浄装置（１）は、衝撃波を発生させる衝撃波発生部（２）と、衝撃波発生部（２）に隣接し、または衝撃波発生部（２）を内部に収容し、かつ、被洗浄物（３）を収納する被洗浄物収納部（４）と、を含むことを特徴とする。
2018078926.tif 000002
【特許請求の範囲】
【請求項１】
衝撃波を発生させる衝撃波発生部と、
前記衝撃波発生部に隣接し、または前記衝撃波発生部を内部に収容し、かつ、被洗浄物を収納する被洗浄物収納部と、
を含むことを特徴とする、被洗浄物の露出面の付着物除去用の洗浄装置。
【請求項２】
前記被洗浄物収納部内に水が充填されており、
前記衝撃波が、前記被洗浄物収納部内の水中を伝搬する、請求項１記載の洗浄装置。
【請求項３】
前記被洗浄物が、網状体、多孔体および筒状体からなる群から選択される少なくとも一つである、請求項１または２記載の洗浄装置。
【請求項４】
前記被洗浄物が、フィルター、スクリーン、分離膜、透析膜、イオン交換膜、活性炭、珪藻土、珪砂、アンスラサイト、イオン交換体、パイプ、継手、バルブおよびポンプからなる群から選択される少なくとも一つである、請求項３記載の洗浄装置。
【請求項５】
前記被洗浄物が、金属製品および金属部品の少なくとも一方である、請求項１または２記載の洗浄装置。
【請求項６】
前記被洗浄物が、デミスター、スルーザー、ハウジング、容器、タンク、熱交換エレメント、スクラバー、ボイラー、タービン、プロペラ、シャフト、食器および基板からなる群から選択される少なくとも一つである、請求項５記載の洗浄装置。
【請求項７】
衝撃波を発生する衝撃波発生工程と、
前記衝撃波が被洗浄物に衝突することにより、前記被洗浄物の露出面の付着物を除去する洗浄工程と、
を含むことを特徴とする洗浄方法。
【発明の詳細な説明】
【技術分野】
【０００１】
本発明は、洗浄装置および洗浄方法に関する。
【背景技術】
【０００２】
従来から、物体（被洗浄物）の洗浄に、超音波洗浄装置が広く用いられている（例えば、特許文献１参照）。
【先行技術文献】
【特許文献】
【０００３】
【特許文献１】特開２００３−３３７３５号公報
【発明の概要】
【発明が解決しようとする課題】
【０００４】
しかしながら、超音波洗浄装置では、被洗浄物の洗浄に、長時間を要する場合がある。また、超音波洗浄装置では、被洗浄物の露出面の付着物を、物理的に除去不可能な場合がある。【０００５】
そこで、本発明は、短時間で、被洗浄物の露出面の付着物を除去可能な、新たな洗浄装置および洗浄方法を提供することを目的とする。
【課題を解決するための手段】
【０００６】
前記目的を達成するために、本発明の被洗浄物の露出面の付着物除去用の洗浄装置は、
衝撃波を発生させる衝撃波発生部と、
前記衝撃波発生部に隣接し、または前記衝撃波発生部を内部に収容し、かつ、前記被洗浄物を収納する被洗浄物収納部と、
を含むことを特徴とする。【０００７】
本発明の洗浄方法は、
衝撃波を発生する衝撃波発生工程と、
前記衝撃波が被洗浄物に衝突することにより、前記被洗浄物の露出面の付着物を除去する洗浄工程と、
を含むことを特徴とする。
【発明の効果】
【０００８】
本発明の洗浄装置および洗浄方法によれば、短時間で、被洗浄物の露出面の付着物を除去可能である。
【図面の簡単な説明】
【０００９】
【図１】図１は、本発明の洗浄装置の構成の一例を示す断面図である。
【発明を実施するための形態】
【００１０】
本発明において、「露出面」とは、例えば、外部に露出し、液体や気体等が接触し得るいかなる面であってもよい。
【００１１】
本発明において、「衝撃波」とは、例えば、音速を超える速さで伝わる圧力変化の波である。本発明において、前記衝撃波の発生手段および発生方法に特に制限はなく、例えば、前記発生手段が、火薬等の爆薬であり、その爆発により前記衝撃波を発生させてもよいし、前記発生手段が、一対の電極であり、前記電極を用いたパルス放電等の放電により前記衝撃波を発生させてもよい。
【００１２】
本発明の洗浄装置において、前記被洗浄物収納部内に水が充填されており、前記衝撃波が、前記被洗浄物収納部内の水中を伝搬してもよい。また、本発明の洗浄方法では、前記洗浄工程において、前記衝撃波が、水中を伝搬してもよい。
【００１３】
本発明の洗浄装置および洗浄方法において、前記被洗浄物は、網状体、多孔体および筒状体からなる群から選択される少なくとも一つであってもよい。この場合において、前記被洗浄物は、フィルター、スクリーン、分離膜、透析膜、イオン交換膜、活性炭、珪藻土、珪砂、アンスラサイト、イオン交換体、パイプ、継手、バルブおよびポンプからなる群から選択される少なくとも一つであってもよい。
【００１４】
本発明の洗浄装置および洗浄方法において、前記被洗浄物は、金属製品および金属部品の少なくとも一方であってもよい。この場合において、前記被洗浄物は、デミスター、スルーザー、ハウジング、容器、タンク、熱交換エレメント、スクラバー、ボイラー、タービン、プロペラ、シャフト、食器および基板からなる群から選択される少なくとも一つであってもよい。
【００１５】
つぎに、本発明の実施形態について、図を用いて説明する。本発明は、下記の実施形態によって何ら限定および制限されない。なお、図においては、説明の便宜上、各部の構造は適宜簡略化して示す場合があり、各部の寸法比等は、実際とは異なる場合がある。
【００１６】
図１は、本発明の洗浄装置の構成の一例を示す断面図である。図１に示すように、この洗浄装置１は、衝撃波発生部２と、被洗浄物収納部４と、を含む。
【００１７】
衝撃波発生部２は、衝撃波を発生する。本例において、衝撃波発生部２は、一方の側（図１においては、上側）が開口した箱状である。ただし、衝撃波発生部２の形状は、特に限定されず、箱状でなくてもよい。衝撃波発生部２の形成材料も、特に限定されず、例えば、樹脂；アルミニウム、銅、銅合金、鉄、鉄合金、ニッケル、タングステン、タングステン合金等の金属；等があげられる。
【００１８】
衝撃波発生部２内には、前記衝撃波を伝搬させる伝達媒体６が充填されていてもよい。伝達媒体６としては、例えば、水等の液体；ゴム等の弾性体、ジェル状の物体等の固体；大気等の気体；あるいはこれらの混合物等を用い得る。これらの中でも、前記衝撃波の伝達性の観点から、液体または固体が好ましく、さらに、安価かつ入手が容易であることから、水が好適である。
【００１９】
本例の洗浄装置１は、衝撃波発生部２内に、爆発により前記衝撃波を発生させる火薬等の爆薬２１を備える。爆薬２１は、例えば、衝撃波発生部２内（伝達媒体６内）において、支持部材（図示省略）によって所定の位置に配置される。爆薬２１は、例えば、電気雷管等により起爆されるように構成される。爆薬２１としては、例えば、球状、棒状、板状等、適宜の形状および大きさのものが用いられる。なお、図１では、爆薬２１を一個のみ記載しているが、爆薬２１は、衝撃波発生部２の体積等に応じて、複数用いてもよい。また、複数の爆薬を用いる場合には、各爆薬２１を異なるタイミングで起爆することで、前記衝撃波を連続的に発生させてもよい。
【００２０】
図１には、前記衝撃波の発生手段として、爆薬２１を例示したが、本発明は、これに限定されない。前述のとおり、本発明において、前記衝撃波の発生手段および発生方法に特に制限はなく、例えば、前記発生手段が、一対の電極であり、前記電極を用いたパルス放電等の放電により前記衝撃波を発生させてもよい。また、例えば、前記発生手段が、ハンマー部材等の打撃手段であり、前記打撃手段を用いて被洗浄物収納部４に機械的な衝撃力を加えることにより前記衝撃波を発生させてもよい。これらの場合において、放電または打撃は、一回であってもよいし、連続した複数回であってもよい。
【００２１】
被洗浄物収納部４は、被洗浄物３を収納する。被洗浄物収納部４は、例えば、衝撃波発生部２の形成材料として例示したのと同様の材料を用いて形成可能である。また、被洗浄物収納部４内には、前記衝撃波を伝搬させる伝達媒体５が充填されていてもよい。伝達媒体５としては、例えば、伝達媒体６として例示したのと同様のものを用い得る。伝達媒体５および伝達媒体６は、同じものであってもよいし、異なるものであってもよい。
【００２２】
本例では、被洗浄物収納部４は、一方の側（図１においては、上側）に開口を有する箱４ａと、箱４ａの前記開口を塞ぐ蓋４ｂとを有し、内部が密閉されている。蓋４ｂによって塞がれる箱４ａの上部開口が、被洗浄物３を出し入れするために用いられる。ただし、被洗浄物収納部４の形状は、被洗浄物３を収納し、密閉可能であれば、特に限定されない。
【００２３】
図１には、衝撃波発生部２の上部開口を塞ぐように、衝撃波発生部２と被洗浄物収納部４とが隣接した洗浄装置１を示している。ただし、本発明は、この例に限定されない。本発明において、衝撃波発生部２が、例えば、前述の爆薬の爆発または電極を用いた放電により衝撃波を発生するものである場合、衝撃波発生部２は、被洗浄物収納部４の内部に収容されていてもよい。
【００２４】
被洗浄物３は、その露出面に除去すべき付着物が付着したものであれば、いかなるものであってもよい。被洗浄物３としては、例えば、網状体、多孔体、筒状体等があげられる。前記網状体としては、例えば、フィルター、スクリーン等があげられる。前記多孔体としては、例えば、分離膜、透析膜、イオン交換膜、活性炭、珪藻土、珪砂、アンスラサイト、イオン交換体等があげられる。前記筒状体としては、例えば、パイプ、継手、バルブおよびポンプ等があげられる。被洗浄物３は、例えば、網状体、多孔体及び筒状体の二つ以上に該当するものであってもよい。被洗浄物３が、例えば、フィルター、パイプ等の溶融樹脂、粘性流体等の流体の濾材、配管等である場合には、前記付着物としては、例えば、それらの露出面に固着した樹脂、スケール等があげられる。また、被洗浄物３が、例えば、活性炭、珪藻土等の多孔体である場合には、前記付着物としては、それらの孔に吸着した物質等があげられる。
【００２５】
また、被洗浄物３としては、例えば、金属製品、金属部品等もあげられる。前記金属製品および前記金属部品は、例えば、全体が金属で形成されたものであってもよいし、一部に金属以外の材料で形成された部分を含むものであってもよい。前記金属製品および前記金属部品の具体例としては、デミスター、スルーザー、ハウジング、容器、タンク、熱交換エレメント、スクラバー、ボイラー、タービン、プロペラ、シャフト、食器、基板等があげられる。これらの場合、前記付着物としては、例えば、錆び等のスラッジ、有機汚染物、スケール、切削くず等があげられる。なお、ハウジング、容器、タンク、シャフト、食器、基板等は、金属製のものに限られず、例えば、プラスチック、セラミックス、炭素繊維等の他の材料で形成されたものであってもよい。また、前述のフィルター、スクリーン、パイプ、継手、バルブおよびポンプ等も、金属製であってもよいし、プラスチック、セラミックス、炭素繊維等の他の材料で形成されたものであってもよい。
【００２６】
被洗浄物３は、例えば、支持部材（図示せず）によって被洗浄物収納部４内の所定の位置に収納される。被洗浄物収納部４内に収納される被洗浄物３は、例えば、ビニル袋、ポリエチレン製の袋等の保護材に入れられた状態であってもよい。また、被洗浄物３が、例えば、粒子状の活性炭等である場合には、被洗浄物３は、例えば、前記衝撃波を伝搬可能な容器等に収容されていてもよい。
【００２７】
図１において、被洗浄物３の数は、一個であるが、これは例示であって、本発明は、これには限定されない。本発明において、被洗浄物収納部４に、複数の被洗浄物３を同時に収納してもよい。なお、前述のように、被洗浄物３を、例えば、支持部材によって被洗浄物収納部４内の所定の位置に収納すれば、被洗浄物３が複数であっても、各被洗浄物３が被洗浄物収納部４内で接触するのを防止可能である。
【００２８】
つぎに、本発明の洗浄方法について、例をあげて説明する。本発明の洗浄方法は、例えば、本発明の洗浄装置を用いて実施可能である。ここでは、図１に示す洗浄装置を用いた場合を例にあげて、本発明の洗浄方法の一例について説明する。
【００２９】
まず、爆薬２１の爆発による衝撃力は、衝撃波発生部２内の伝達媒体６を介して衝撃波となって被洗浄物収納部４に伝達される。前記衝撃波は、被洗浄物収納部４および被洗浄物収納部４内の伝達媒体５を伝搬して、被洗浄物３（例えば、フィルター等）に衝突する。被洗浄物３への前記衝撃波の衝突により、被洗浄物３の露出面の付着物（例えば、前記フィルターの露出面に固着した樹脂等）が粉砕され、伝達媒体５に拡散されることで、除去される。伝達媒体５は、前記付着物の拡散による汚れ具合により、適宜交換してもよい。
【００３０】
本発明の洗浄装置および洗浄方法によれば、前記衝撃波を用いることで、超音波洗浄装置と比較して、短時間で、被洗浄物の露出面の付着物を除去可能である。また、本発明の洗浄装置および洗浄方法によれば、前記衝撃波を用いることで、超音波洗浄装置では物理的に除去不可能であった、被洗浄物の露出面の付着物を除去可能である。
【産業上の利用可能性】
【００３１】
以上のように、本発明の洗浄装置および洗浄方法は、短時間で、被洗浄物の露出面の付着物を除去可能なものである。本発明の洗浄装置および洗浄方法の用途は、特に限定されず、例えば、網状体、多孔体、筒状体等の被洗浄物の洗浄に幅広く利用できる。【００３２】
以上、実施形態を参照して本発明を説明したが、本発明は、上記実施形態に限定されるものではない。本発明の構成や詳細には、本発明のスコープ内で当業者が理解しうる様々な変更をすることができる。【００３３】
この出願は、２０１６年１０月３１日に出願された日本出願特願２０１６−２１２４１３を基礎とする優先権を主張し、その開示の全てをここに取り込む。
【符号の説明】
【００３４】
１      洗浄装置
２      衝撃波発生部
３      被洗浄物
４      被洗浄物収納部
５、６  伝達媒体
２１    爆薬
【図１】
2018078926.tif 000003
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
音速を超える速さで伝わる圧力変化の波である衝撃波を発生させる衝撃波発生部と、
前記衝撃波発生部に隣接し、または前記衝撃波発生部を内部に収容し、かつ、被洗浄物を収納する被洗浄物収納部と、
を含むことを特徴とする、被洗浄物の露出面の付着物除去用の洗浄装置。
【請求項２】
前記被洗浄物収納部内に水が充填されており、
前記衝撃波が、前記被洗浄物収納部内の水中を伝搬する、請求項１記載の洗浄装置。
【請求項３】
前記被洗浄物が、網状体、多孔体および筒状体からなる群から選択される少なくとも一つである、請求項１または２記載の洗浄装置。
【請求項４】
前記被洗浄物が、フィルター、スクリーン、分離膜、透析膜、イオン交換膜、活性炭、珪藻土、珪砂、アンスラサイト、イオン交換体、パイプ、継手、バルブおよびポンプからなる群から選択される少なくとも一つである、請求項３記載の洗浄装置。
【請求項５】
前記被洗浄物が、金属製品および金属部品の少なくとも一方である、請求項１または２記載の洗浄装置。
【請求項６】
前記被洗浄物が、デミスター、スルーザー、ハウジング、容器、タンク、熱交換エレメント、スクラバー、ボイラー、タービン、プロペラ、シャフト、食器および基板からなる群から選択される少なくとも一つである、請求項５記載の洗浄装置。
【請求項７】
前記被洗浄物が、網状体および多孔体の少なくとも一方である、請求項１または２記載の洗浄装置。
【請求項８】
前記被洗浄物が、フィルター、スクリーン、分離膜、透析膜、イオン交換膜、活性炭、珪藻土、珪砂、アンスラサイト、イオン交換体、継手、バルブおよびポンプからなる群から選択される少なくとも一つである、請求項７記載の洗浄装置。
【請求項９】
音速を超える速さで伝わる圧力変化の波である衝撃波を発生する衝撃波発生工程と、
前記衝撃波が被洗浄物に衝突することにより、前記被洗浄物の露出面の付着物を除去する洗浄工程と、
を含むことを特徴とする洗浄方法。
【国際調査報告】
2018078926.tif 000004
2018078926.tif 000005
2018078926.tif 000006
2018078926.tif 000007